(57)【要約】【課題】歯や入歯の間に挟まれた歯垢や食片などを効果よく、物理的、又は化学的手法で除去できる、端部に隣接した位置に噴液部を備えた歯ブラシの開発。【解決手段】溶液を含んだ圧縮式溶液室と、この溶液室に連通した開口部のあるノズル・ヘッドとを備えた溶液容器と、ブラシ部の付いた細長いブラシ・アームと、ノズル・ヘッドに接続され、ブラシ・アームをその位置に保持する保持とを含むノズル・ヘッドと、ブラシ・アームのブラシ部に設けられたブラシ本体とを含み、容器を圧縮して、ブラシ・アームの保持部に隣接したノズル・ヘッドに設けられた分配路から、ノズル・ヘッドを経由して、溶液室溶液をブラシ・アームのブラシ部に放出する、端部に隣接した位置に噴液部を備えた歯ブラシの提供。【選択図】図１
2007501651.tif 000002
【特許請求の範囲】
【請求項１】
溶液を噴出する歯ブラシであって、
溶液を含んだ圧縮式溶液室と、前記圧縮式溶液室と連通した開口部のあるノズル・ヘッドとを備えた溶液の容器と、
ブラシ部の付いた細長いブラシ・アームと、前記ノズル・ヘッドに接続され、前記ブラシ・アームをその位置に保持する保持部とを含むブラシ・ヘッドと、
前記ブラシ・アームのブラシ部に設けられたブラシ本体とを含み、前記容器を圧縮して、前記ブラシ・アームの保持部に隣接した前記ノズル・ヘッドに設けられた分配路から、前記ノズル・ヘッドを経由して、前記溶液室の溶液を前記ブラシ・アームのブラシ部に放出することを特徴とする、
端部に隣接した位置に噴液部を備えた歯ブラシ。
【請求項２】
前記溶液の容器には圧縮式溶液室を含んだ容器本体を取り付けてあり、その開口部は前記圧縮式溶液室と連通し、また、前記ノズル・ヘッドには前記容器本体の開口部に取外し可能に取付けた管状のノズル・ベースと、前記のずる・ベースから同軸に伸張した管状のブラシ・ホルダーとが含まれていて、前記ブラシ・アームの保持部は前記ブラシ・ホルダーに挿しこまれ、前記ブラシ・ヘッドを保持することを特徴とする、請求項１に記載の歯ブラシ。
【請求項３】
前記ブラシ・アームの保持部は、前記ブラシ・ホルダーの開口部に挿しこまれ、前記分配路は前記ブラシ・アームの保持部と前記ノズル・ヘッドのブラシ・ホルダーの内壁との間に形成された空隙にして、前記分配路を経由して、前記溶液を前記ブラシ・アームのブラシ部に流すことを特徴とする、請求項２に記載の歯ブラシ。
【請求項４】
前記保持部は前記ブラシ・ホルダーより長く、前記ブラシ・アームの保持部は前記ブラシ・ホルダーを刺し通し、前記保持部の外部に向かって延長した尾部は、前記ブラシ部に向かって折り曲げられ、前記ブラシ・アームの後端部をU字形に構成して、しっかりと前記ブラシ・アームをブラシ・ホルダーに把持することを特徴とする、請求項2に記載の歯ブラシ。
【請求項５】
前記保持部は前記ブラシ・ホルダーより長く、前記ブラシ・アームの保持部は前記ブラシ・ホルダーを刺し通し、前記保持部の外部に向かって延長した尾部は、前記ブラシ部に向かって折り曲げられ、前記ブラシ・アームの後端部をU字形に構成して、しっかりと前記ブラシ・アームをブラシ・ホルダーに把持することを特徴とする、請求項3に記載の歯ブラシ。
【請求項６】
前記ブラシ・ホルダーには、その後端部から伸張したガイド・スロットがあり、前記ブラシ・アームの保持部の外部に向かって延長した尾部は前記ブラシ部に向かって折り曲げられ、前記保持部の外部に向かって延長した尾部は前記ガイド・スロッドに収納されていることを特徴とする、請求項4に記載の歯ブラシ。
【請求項７】
前記ブラシ・ホルダーには、その後端部から伸張したガイド・スロットがあり、前記ブラシ・アームの保持部の外部に向かって延長した尾部は前記ブラシ部に向かって折り曲げられ、前記保持部の外部に向かって延長した尾部は前記ガイド・スロッドに収納されていることを特徴とする、請求項5に記載の歯ブラシ。
【請求項８】
前記溶液の容器は更に、前記容器本体に同軸に取り付けられたシーリング・ロッカーを含み、前記容器本体の開口部に前記ノズル・ベースを密閉していることを特徴とする、請求項２に記載の歯ブラシ。
【請求項９】
前記溶液の容器は更に、前記容器本体に同軸に取り付けいられたシーリング・ロッカーを含み、前記容器本体の開口部に前記ノズル・ベースを密閉していることを特徴とする、請求項３に記載の歯ブラシ。
【請求項１０】
前記溶液の容器は更に、前記容器本体に同軸に取り付けられたシーリング・ロッカーを含み、前記容器本体の開口部に前記ノズル・ベースを密閉していることを特徴とする、請求項５に記載の歯ブラシ。
【請求項１１】
前記シーリング・ロッカーは、前記容器本体の開口部の周辺に密着したロッカー・リングと、前記ロッカー・リングの縁辺から同軸かつ内側に向かって突起したシーリング・リングとを含み、前記容器本体の開口部に対し、固く傾斜状に密着して、前記ノズル・ベースをその位置に保持し、前記溶液が、前記開口部から漏れるのを防ぐことを特徴とする、請求項８に記載の歯ブラシ。
【請求項１２】
前記シーリング・ロッカーは、前記容器本体の開口部の周辺に密着したロッカー・リングと、前記ロッカー・リングの縁辺から同軸、かつ内側に向かって突起したシーリング・リングとを含み、前記容器本体の開口部に対し固く傾斜状に密着して、前記ノズル・ベースをその位置に保持し、前記溶液が、前記開口部から漏れるのを防ぐことを特徴とする、請求項９に記載の歯ブラシ。
【請求項１３】
前記シーリング・ロッカーは、前記容器本体の開口部の周辺に密着したロッカー・リングと、前記ロッカー・リングの縁辺から同軸、かつ内側に向かって突起したシーリング・リングとを含み、前記容器本体の開口部に対し固く傾斜状に密着して、前記ノズル・ベースをその位置に保持し、前記溶液が、前記開口部から漏れるのを防ぐことを特徴とする、請求項10に記載の歯ブラシ。
【請求項１４】
前記ブラシ本体は、前記ブラシ・アームのブラシ部に沿って、径方向に間隔を置いて伸張した複数の線状刷毛を含み、使用者の歯間と歯肉線の周辺に接触して、ブラシングとフロシングの動作を行うことを特徴とする、請求項２に記載の歯ブラシ。
【請求項１５】
前記ブラシ本体は、前記ブラシ・アームのブラシ部に沿って、径方向に間隔を置いて伸張した複数の線状刷毛を含み、使用者の歯間と歯肉線の周辺に接触して、ブラシングとフロシングの動作を行うことを特徴とする、請求項３に記載の歯ブラシ。
【請求項１６】
前記ブラシ本体は、前記ブラシ・アームのブラシ部に沿って、径方向に間隔を置いて伸張した複数の線状刷毛を含み、使用者の歯間と歯肉線の周辺に接触して、ブラシングとフロシングの動作を行うことを特徴とする、請求項５に記載の歯ブラシ。
【請求項１７】
前記ブラシ本体は、前記ブラシ・アームのブラシ部に沿って、径方向に間隔を置いて伸張した複数の線状刷毛を含み、使用者の歯間と歯肉線の周辺に接触して、ブラシングとフロシングの動作を行うことを特徴とする、請求項８に記載の歯ブラシ。
【請求項１８】
前記ブラシ本体は、前記ブラシ・アームのブラシ部に沿って、径方向に間隔を置いて伸張した複数の線状刷毛を含み、使用者の歯間と歯肉線の周辺に接触して、ブラシングとフロシングの動作を行うことを特徴とする、請求項１０に記載の歯ブラシ。
【請求項１９】
前記ブラシ本体は、前記ブラシ・アームのブラシ部に沿って、径方向に間隔を置いて伸張した複数の線状刷毛を含み、使用者の歯間と歯肉線の周辺に接触して、ブラシングとフロシングの動作を行うことを特徴とする、請求項１１に記載の歯ブラシ。
【請求項２０】
前記ブラシ本体は、前記ブラシ・アームのブラシ部に沿って、径方向に間隔を置いて伸張した複数の線状刷毛を含み、使用者の歯間と歯肉線の周辺に接触して、ブラシングとフロシングの動作を行うことを特徴とする、請求項１３に記載の歯ブラシ。
【請求項２１】
前記ブラシ・ホルダーの部は、前記ブラシ・アームの保持部に扁平に押圧されて、前記ブラシ・アームをその位置に保持し、前記ブラシ・アームの保持部と前記ノズル・ヘッドのブラシ・ホルダーの内壁との間に残された空隙は、前記ブラシ・ホルダーに沿って前記分配路として作用することを特徴とする、請求項２に記載の歯ブラシ。
【請求項２２】
前記ブラシ・ホルダーの前部は前記ブラシ・アームの保持部をその位置に保持し、その後部は前記ノズル・ベースから延長し、前記ブラシ・ホルダーの前部は前記後部から傾斜して延長し、前記ブラシ・ヘッドを前記溶液の容器に対し、傾斜した位置に配置することを特徴とする、請求項２に記載の歯ブラシ。
【請求項２３】
前記ブラシ・ホルダーの前部は前記ブラシ・アームの保持部をその位置に保持し、その後部は前記ノズル・ベースから延長し、前記ブラシ・ホルダーの前部は前記後部から傾斜して延長し、前記ブラシ・ヘッドを前記溶液の容器に対し、傾斜した位置に配置することを特徴とする、請求項２１に記載の歯ブラシ。
【請求項２４】
前記容器本体はさらに、前記容器本体に挿しこまれたピストンを含み、前記ピストンを押すことにより、前記容器本体に圧縮力を加えて、前記溶液室の溶液を押し出し、前記ノズル・ヘッドの前記分配路を経由して、前記ブラシ本体に放出することを特徴とする、請求項２１に記載の歯ブラシ。
【請求項２５】
前記容器本体はさらに、前記容器本体に挿しこまれたピストンを含み、前記ピストンを押すことにより、前記容器本体に圧縮力を加えて、前記溶液室の溶液を押し出し、前記ノズル・ヘッドの前記分配路を経由して、前記ブラシ本体に放出することを特徴とする、請求項２２に記載の歯ブラシ。
【請求項２６】
前記容器本体はさらに、前記容器本体に挿しこまれたピストンを含み、前記ピストンを押すことにより、前記容器本体に圧縮力を加えて、前記溶液室の溶液を押し出し、前記ノズル・ヘッドの前記分配路を経由して、前記ブラシ本体に放出することを特徴とする、請求項２３に記載の歯ブラシ。
【請求項２７】
前記ブラシ本体は、前記ブラシ・アームのブラシ部に沿って、径方向に間隔を置いて伸張した複数の線状刷毛を含み、使用者の歯間と歯肉線の周辺に接触して、ブラシングとフロシングの動作を行うことを特徴とする、請求項２１に記載の歯ブラシ。
【請求項２８】
前記ブラシ本体は、前記ブラシ・アームのブラシ部に沿って、径方向に間隔を置いて伸張した複数の線状刷毛を含み、使用者の歯間と歯肉線の周辺に接触して、ブラシングとフロシングの動作を行うことを特徴とする、請求項２２に記載の歯ブラシ。
【請求項２９】
前記ブラシ本体は、前記ブラシ・アームのブラシ部に沿って、径方向に間隔を置いて伸張した複数の線状刷毛を含み、使用者の歯間と歯肉線の周辺に接触して、ブラシングとフロシングの動作を行うことを特徴とする、請求項２３に記載の歯ブラシ。
【請求項３０】
前記ブラシ本体は、前記ブラシ・アームのブラシ部に沿って、径方向に間隔を置いて伸張した複数の線状刷毛を含み、使用者の歯間と歯肉線の周辺に接触して、ブラシングとフロシングの動作を行うことを特徴とする、請求項２４に記載の歯ブラシ。
【請求項３１】
前記ブラシ本体は、前記ブラシ・アームのブラシ部に沿って、径方向に間隔を置いて伸張した複数の線状刷毛を含み、使用者の歯間と歯肉線の周辺に接触して、ブラシングとフロシングの動作を行うことを特徴とする、請求項２５に記載の歯ブラシ。
【請求項３２】
前記ブラシ本体は、前記ブラシ・アームのブラシ部に沿って、径方向に間隔を置いて伸張した複数の線状刷毛を含み、使用者の歯間と歯肉線の周辺に接触して、ブラシングとフロシングの動作を行うことを特徴とする、請求項２６に記載の歯ブラシ。
【発明の詳細な説明】
【技術分野】
【０００１】
本発明は歯科器具に関するもので、詳しく云えば端部に隣接した位置に噴液部を備え、効果的に歯間や入歯の間に挟まれた歯垢や食片などを物理的、または化学的手法で、除去する歯ブラシに関するものである。
【背景技術】
【０００２】
歯艱の病気（即ち歯肉炎）はよく見受けるの病気である。歯肉炎の初期に置いては一般に苦痛を感じない。研究の結果によれば、歯肉炎は菌巣内のバクテリヤの感染によるもので、この感染は歯の上部、或いは歯間に起こる。歯科医は通常歯肉炎を防止するためには歯磨きやフロシング（flossing）を丹念に行って、歯を清潔に保つことをすすめる。更に、口すすぎはまた、１つの菌巣やバクテリヤを除去する有効な方法であると認められている。歯の菌巣を少なくすればバクテリヤも少なくなるものである。
【０００３】
歯の菌巣を除去する最も通常な方法は歯をみがくことである。歯ブラシの構造の問題上、その刷毛はとても歯間と歯肉周辺の菌巣を完全に除去し得ないのである。従ってフロシングは菌巣と歯垢を歯間、特に歯ブラシの刷毛の到達できない個所から取り除くには有効である。歯磨きと／又はフロシングの後の口すすぎは、その中に含まれた薬品により、口内のバクテリヤと歯垢を除去するに有効であるのみならず、口臭をなくする効能もある。
【０００４】
然るにフロスを手に持つ要領如何により、使用効果に個人的な差が生じる。フロシングは上、下、左、右、前後に動かさなければならない。この６つの基本動作は煩らわしく、又時間が掛かるものである。そのため、実用上従来のフロスは不便である。改善された歯ブラシとフロスと口すすぎとを１つにした爪楊枝には、歯と歯肉線に沿ったようなサイズのブラシの頭部を有し、これで局部を磨くのである。ブラシの頭部を歯肉線の間の摩擦により、水気のない乾式なみがきでは使用者は不快感が起こり、もし適当でない方法で歯肉線をみがけば、歯肉から出血する場合もある。
【発明の開示】
【発明が解決しようとする課題】
【０００５】
歯や入歯の間に挟まれた歯垢や食片などを効果よく、物理的、または化学的手法で除去する、端部に隣接した位置に噴液部を備えた歯ブラシの提供を本発明の主な目的とする。
【０００６】
フロシングと口すすぎを組み合わせて歯肉と歯の間の歯垢、菌巣やバクテリヤを取り除き、合せて口臭の発生も防止する、端部に隣接した位置に噴液部を備えた歯ブラシの提供を本発明のさらに１つの目的とする。
【０００７】
歯みがきのとき、歯ブラシの頭部が歯間と歯肉線に沿って接触した際、溶液を歯ブラシの頭部に導入し、更に歯間と歯肉線の周辺に浸透させて歯垢や口臭を除く外、さらに歯ブラシと歯肉線の間の摩擦を緩和して歯肉の出血を防止し、使用者に不快感を与えず、またこの溶液は歯肉の感染による歯肉炎をも防止する、端部に隣接した位置に噴液部を備えた歯ブラシの提供を本発明のさらに１つの目的とする。
【０００８】
歯ブラシの頭部の保持部を溶液の容器の口に挿入して歯ブラシの頭部を固定し、容器内の溶液が容器を圧縮することにより、充分に歯ブラシの頭部に供給され、また、溶液の容器の形やサイズは動物に形どったような、例えば細長い縮んだブラシの端部を持った、端部に隣接した位置に噴液部を備えた歯ブラシの提供を本発明のさらに１つの目的とする。
【０００９】
歯みがきの操作は歯ブラシの頭部を歯間と歯肉線に沿って当て、溶液を歯みがきの頭部に押し出してみがくように容易、かつ簡単である、端部に隣接した位置に噴液部を備えた歯ブラシの提供を本発明のさらに１つの目的とする。
【００１０】
溶液の容器に挿入する歯ブラシの頭部が取り替え可能のみならず、容器内の溶液も補充可能にして、例えば容器の底部にあるゴム栓を引き抜くことにより溶液も交換できて、使用年限の延長できる、端部に隣接した位置に噴液部を備えた歯ブラシの提供を本発明のさらに１つの目的とする。
【００１１】
上記の目的を達成するため、特に高価、かつ複雑な構造を必要とせず、フロシングの手法で歯垢と菌巣を経済、かつ能率よく除去できるのみならず、口すすぎで口内のバクテリヤを消滅し、口臭も除ける、端部に隣接した位置に噴液部を備えた歯ブラシの提供を本発明のさらに１つの目的とする。
【課題を解決するための手段】
【００１２】
上記の目的を達成するため、本発明では、特殊に意匠で設計された溶液を噴出する歯ブラシであって、溶液を含んだ圧縮式溶液室と、圧縮式溶液室と連通した開口部のあるノズル・ヘッドとを備えた溶液容器と、ブラシ部の付いた細長いブラシ・アームと、ノズル・ヘッドに接続され、ブラシ・アームをその位置に保持する保持部とを含むブラシ・ヘッドとブラシ・アームのブラシ部に設けられたブラシ本体とを含み、容器を圧縮して、ブラシ・アームの保持部に隣接したノズル・ヘッドに設けられた分配路から、ノズル・ヘッドを経由して、溶液室の溶液をブラシ・アームのブラシ部に放出する、端部に隣接した位置に噴液部を備えた歯ブラシを提供した。
【００１３】
なお、本発明に係る歯ブラシのその他の特徴、優点や応用に関しては、明細書に添付した図面を参照して、以下説明する実施例の内容をご覧になっていただきたい。
【発明の効果】
【００１４】
以上の説明で分かるように、本発明に係わる歯ブラシは噴液部を備えているので、歯の清掃と洗滌が一挙に完成され、効果的に歯間の歯垢を除去し、併せて歯肉もマッサージされて、従来の歯ブラシにない性能を発揮できるものである。
【００１５】
上記の図示と説明は、本発明の実施形態を例示したものに過ぎず、本発明の範囲を制限するものではないことは、この方面の技術に通じた者なら誰にも分かっていただけるものである。
【発明を実施するための最良の形態】
【００１６】
図１から図３までを参照しよう。本発明に係る歯ブラシには溶液容器１０と、ブラシ・ヘッド２０とが含まれ、ブラシ・ヘッド２０は細長いブラシ・アーム２１とブラシ本体２２とからなる。
【００１７】
溶液容器１０は圧搾式容器本体１３とノズル・ヘッド１２を含み、圧搾式容器本体１３にはたとえば洗滌用溶液や清掃用溶液などのような溶液を含んだ圧搾式容器室１１が設けられ、ノズル・ヘッド１２には圧搾式溶液室１１と連通する開口部１２１がある。
【００１８】
ノズル・ヘッド２０のブラシ・アーム２１はブラシ部２１１と保持部２１２に分けられ、ノズル２０に接続されてブラシ・アーム２１をその位置に保持している。ノズル・ヘッド１２は分配路２００が取り付けられ、ノズル・ヘッド１２は保持部２１２に隣接して、ブラシ・アーム２１の保持部２１２とノズル・ヘッド１２の内壁に取り付けられた容器本体１３内の溶液Wをノズル・ヘッド１２からブラシ・アーム２１のブラシ部２１１に向かって放出するのである。
【００１９】
本発明に係わる実施例によれば保持部２１２は溶液容器１０の開口部１２１に挿し込まれ、そのノズル・ヘッド１２の内壁を押す力でブラシ・アーム２１をその位置に保持するのである。分配路２００はブラシ・アーム２１の保持部２１２とノズル・ヘッド１２の内壁との間に形成され、ノズル・ヘッド１２から溶液ｗをブラシ・アーム２１のブラシ部２１１に向かって流動させるものである。
【００２０】
ブラシ本体２２はブラシ・アーム２１のブラシ部２１１に設けられ、容器本体１３が圧縮されたとき、ノズル・ヘッド１２の分配路２００を経由して、ブラシ本体２２に溶液Wを放出するのである。
【００２１】
本実施例によれば、容器本体１３はプラスチック製であることが望ましい。なんとなれば、使用者はた易く容器１３を圧搾して、溶液室１１から溶液Wをノズル・ヘッド１２の開口部１２１から分配できるからである。ノズル・ヘッド１２は施力に耐える剛性の構造材で構成され、力強くノズル・ヘッド２０を支えて歯みがきの進行中、ノズル・ヘッド２０が歯の間に押しえられている際、ノズル・ヘッド１２が曲るのを防止できなければならない。そのゆえノズル・ヘッド１２は容器１３から一体と成って伸張し、圧搾式溶液室１１と連通している。溶液室１１はインジェクション・モルディング（injection molding）の工法で一体化され本発明に係わる歯ブラシの生産コストを軽滅している。
【００２２】
そして溶液Wは水かまたは、どこでも買える口内のバクテリヤや口臭を除去できる薬液である。使用者は容器１０を押せば溶液Wは押し出されて、圧搾式溶液室１１に充填されるのである。
【００２３】
本発明に係わるノズル・ヘッド２０は歯間と歯肉線に沿って接触し、使用者の歯を清掃し、歯肉をマッサージするものである。図１によればノズル・ヘッド２０は交換可能の状態で容器１０に取り付けられ、交換の際新しいノズル・ヘッド２０は容器１０の開口部１２１に挿し込むだけでよい。
【００２４】
ブラシ・アーム２１は屈曲可能の例えば金属線のような材料で形成され、ブラシ・アーム２１の保持部２１２は環状をなし、線状材料の尾部を折り曲げてU型の構造とし、ブラシ・アーム２１の保持部２１２が摺動可能に容器１０の開口部１２１に挿し込まれた場合、この保持部２１２はノズル・ヘッド１２の内壁の一方に傾斜し図２の示すようにノズル・ヘッド２０をその位置に保持するのである。
【００２５】
図３を参照しよう。開口部１２１の直径はブラシ・アーム２１の保持部２１２の幅よりやや小さく形成されているので、ブラシ・アーム２１の保持部２１２が容器１０の開口部１２１に挿入されたとき、保持部２１２はノズル・ヘッド１２の内壁に対して傾斜し、ノズル・ヘッド１２はやや変形する。言い換えればブラシ・アーム２１の保持部２１２がノズル・ヘッド１２の内壁に対し一方に傾斜するので、図２のように、ノズル・ヘッド２０はその位置に保持されるのである。
【００２６】
図３に示すように開口部１２１の直径は、ブラシ・アーム２１の保持部２１２の幅よりやや小さく形成されているので、ブラシ・アーム２１の保持部２１２が容器１０の開口部１２１に挿入されたとき、保持部２１２はノズル・ヘッド１２の内壁に対して傾斜し、ノズル・ヘッド１２はやや変形する。言い換えればブラシ・アーム２１の保持部２１２は押し込む力でしっかりと、ノズル・ヘッド２０をその位置に保つのである。
【００２７】
さらに分配路２００はブラシ・アーム２１の保持部２１２とノズル・ヘッド１２の内壁の間に形成された空隙として、溶液Wがブラシ・アーム２１のブラシ部２１１に向かって流れる通路を提供する。
【００２８】
本実施例によれば、図１に示すようにブラシ本体２２は複数の刷毛２２１を有し、ブラシ・アーム２１のブラシ部２２１から伸張して歯間と歯肉線に沿って接触し、ブラシングと/またはフロシングの動作で歯垢や歯上の菌巣を除去する。さらに容器１０を圧搾すれば、溶液１０はノズル・ヘッド１２の分配路２００を経由して、ブラシ本体２２の刷毛２２１に送りこまれる。そして歯みがきの進行中ブラシ本体２２は歯間と歯肉線に接触し、溶液W は歯間と歯肉線とを含む局部に沿って浸透し、歯垢と口臭を除去するのみならず、ブラシ本体２２と歯肉線との間の潤滑液として作用し、その摩擦力を小さくして、使用者の歯肉炎を抑制し、また使用者の不快感を緩和するのである。
【００２９】
ブラシ本体２２が歯間、または歯肉線の周囲に接触した場合、ノズル・ヘッド１２の開口部１２１は歯間、あるいは歯肉線の空隙に向かった位置に案内され、使用者は的確に歯間と/または歯肉線の空隙に向かって溶液Wを放出できることになる。
【００３０】
図１に示すように、本発明に係わる歯ブラシはさらに、管状の保護キャップ５０を含んでいる。保護キャップ５０は一定した長さを持ち、ノズル・ヘッド２０をその中に収容する。ノズル・ヘッド１２は摺動可能に保護キャップに挿入され、ノズル・ヘッド２０を保護キャップ５０の内側に遮蔽して保護するのである。
【００３１】
図４は第１実施形態のノズル・ヘッドの第１変形を示す説明図である。ブラシ・ヘッド２０Aはブラシ・アーム２１Aとブラシ本体２２Aを含み、ブラシ・アーム２１Aの保持部２１２Aは溶液容器１０Aの開口部１２１Aに挿しこまれ、ブラシ本体２２Aはブラシ・アーム２１Aのブラシ部２１１A に設けられている。
【００３２】
また、容器１０Aには図４に示す把手部１０１Aと押付部１０２Aとを備え、容器１０A はさらに密閉キャップ１３Aで容器１０Aの開口部１２１Aを密閉し、圧搾式溶液室１１Aの溶液Wを一定した量に保っている。そこで使用者は密閉キャップ１３Aを破りとって、ブラシ・ヘッド２０Aの保持部２１２Aを容器１０Aの開口部１２１Aに挿し込めるのである。即ち、本発明に係わる歯ブラシは１回分の使用量を貯えるのには非常に好都合である。 
【００３３】
屈曲可能の材料例えば金属線で製作されたブラシ・アーム２１Aの保持部２１２Aは線の尾部を折り曲げてU字の構体にし、その後、その線部の尾部を連続した“８”字型に仕上げたもので、ブラシ・アーム２１Aの保持部２１２Aを摺動可能に容器１０Aの開口部１２１Aに挿しこんだとき、この開口部１２１Aはノズル・ヘッド１２Aの内壁に対し傾斜して図４に示すようにブラシ・ヘッド２０Aをその位置に保持する。
【００３４】
ブラシ・本体２２Aは図４に示したようなたわし片２２１Aをブラシ・アーム２１A のブラシ部２１１Aの回りに取り付けている。このたわし片２２１Aはファイバー材料、例えばナイロン、ポリウレタンフォーム、またはポリオレフィンス（polyolefins）から作られる。即ち、溶液Wはブラシ本体２２Aのたわし片２２１Aに放出され、歯を磨いて、清掃するのである。
【００３５】
図５は本発明に係わるブラシ・ヘッドの第１実施形態の第２変形を示す説明図である。ブラシ・ヘッド２０Bのブラシ・アーム２１Bには保持部２１Bとブラシ部２１１Bとを含み、保持部２１Bは容器１０Bの開口部１２１Bに挿しこまれ、ブラシ部２１１Bにはブラシ本体２２Bが取り付けられている。
【００３６】
ブラシ・アーム２１Bは係止用のアームであって、屈曲可能な材料、例えば金属線で製作される。ブラシ・アーム２１Bの保持部２１２Bは金属アームの尾部をS字に折り曲げ、ブラシ・アーム２１Bの保持部２１２Bを容器１０Bの開口部１２１Bに挿しこんだとき、保持部２１２Bはノズル・ヘッド１２Bの内壁に対し傾斜して、図５に示したようにブラシ・ヘッド２０Bをその位置に保持する。
【００３７】
溶液の容器１０Bの容器本体１３Bには圧搾式溶液室１１Bが取り付けられ、ノズル・ヘッド１２Bは取り外し可能に容器本体１３Bに取りつけられノズル・ヘッド１２Bの開口部１２１Bと圧搾式溶液室１１Bとを連絡させる。図５に示すように、容器本体１３Bの開口部にはねじ溝が切られており、ノズル・ヘッド１２Bにも対応するねじ溝が切られていて、両者はねじ溝で回動可能に結合されている。このようにノズル・ヘッド１２Bは取外し可能に容器本体１３Bと結合して圧搾式溶液室１１Bから溶液Wをノズル・ヘッド１２Bの開口部１２１B に放出するのである。
【００３８】
また、容器本体１３Bはさらに押し込み可能のアコレオン型の把手部          １０１Bを備え、圧搾式溶液室１１Bから溶液Wを圧搾してノズル・ヘッド１２Bの開口部１２１Bに放出する。即ち、容器１０Bは押し込みにより溶液Wが放出できれば、任意の形やサイズに形成してもよいのである。容器本体１３Bはさらにその底部に充填用の開口部１３１Bが設けられてあり、ゴム製の栓１３２Bで取外し可能に容器本体１３Bの充填用開口部１３１B取り付けられていて、栓１３２Bを取り外して、この充填用開口部１３１Bから、溶液Wを圧搾式溶液室１１Bに充填するのである。
【００３９】
ここで提起すべきは、ブラシ・ヘッド２０Bは固定式にノズル・ヘッド１２Bに取り付け、ノズル・ヘッド１２Bは取外し可能に容器本体１３Bに取り付けられることである。即ち、ブラシ・ヘッド２０Bの交換は新しいノズル・ヘッド１２Bと新しいブラシ・ヘッド２０Bを一体として交換するのである。
【００４０】
図５に示すように、ブラシ・ヘッド２０Bはさらに液体ガイダー(liquid guider)２３Bを含み、少なくとも１つの分配孔２３１Bが開けられ、ブラシ・アーム２１Bに取り付けつけられている。保持部２１２Bがノズル・ヘッド１２Bに挿しこまれたとき、液体ガイダー２３Bはノズル１２Bの開口部１２１Bに取りつけられ、圧搾式溶液室１１Bから分配孔２３１Bを経て溶液Wを外部に放出するのである。その故、容器１０Bに圧縮力を施したとき、溶液Wは分配路２００Bを通って歯間に位置するブラシ本体２２Bに向かって放出するのみならず、液体ガイダー２３Bの分配孔２３１Bを経由して、ブラシ本体２２B周辺の歯肉に向かって放出するのである。  
【００４１】
図６は本発明に係わるブラシ・ヘッド２０Cの第１実施形態の第３変形を示す説明図である。ブラシ・アーム２１Cの保持部２１２Cは容器１０Cの開口部１２１Cに挿しこまれ、ブラシ本体２２Cはブラシ部２１１Cに設けられている。
【００４２】
ブラシ・アーム２１Cは係止用のアームであって、屈曲可能な材料、例えば金属線で製作される。ブラシ・アーム２１Cの保持部２１２Cは金属アームの尾部をV字に折り曲げ、ブラシ・アーム２１Cの保持部２１２Cを容器１０Cの開口部１２１Cに挿しこんだとき、保持部２１２Cはノズル・ヘッド１２Cの内壁に対し傾斜して、図６に示したようにブラシ・ヘッド２０Cをその位置に保持する
【００４３】
容器１０Cはさらに少なくとも１つのロッキング・ラッチ（locking latch）14Cを含み、一体化してノズル・ヘッド１２Cの内壁から突出して、ブラシ・アーム２１Cの保持部２１２Cと結合して、ブラシ本体２２Cを容器１０Cの開口部１２１Cにロックする。その故、ブラシ・ヘッド２０Cを容器１０Cにロックするため、ブラシ・アーム２１Cの保持部２１２Cは容器１０Cのノズル・ヘッド１２Cにブラシ・アーム２１Cの係止用アームの自由端が、ノズル・ヘッド１２Cのロッキング・ラッチ１４Cに対し傾斜するまで挿しこむのである。そうすればブラシ・ヘッド２０Cがノズル・ヘッド１２Cから滑り出すことを阻止できる。ブラシ・ヘッド２０Cを容器１０Cから取り除く場合、使用者は係止用アームの自由端がロッキング・ラッチ１４Cに対し偏位するまで、ノズル・ヘッド１２Cに圧縮力を加えれば、ブラシ・ヘッド２０Cはノズル・ヘッド１２Cから滑り出せるのである。
【００４４】
また、カバーキャップ１３Cは取外し可能にノズル・ヘッド１２Cの開口部１２１Cの上にふたをして、容器１０Cが容器Wを補充して再度使用できるようにしている。
【００４５】
ここで強調すべきことは、図１と図４に示すように他のブラシ・ヘッドと同じく、ロッキング・ラッチ１４Cを利用して容器１０Cにインターロッキングの形態とし、ブラシ・ヘッド２０，２０Aに応用できることである。
【００４６】
上記のように、容器１０，１０Aの変則な形態として、ブラシ・ヘッド２０、２０A、２０B、２０Cと液体ガイダ−２３Bは互換して、使用者の利用上の便利を計れることである。本発明に係わる歯ブラシのサイズは比較的に小さいので、旅行用の手荷物や背のうに収納し、使用者個人で持ち歩き、必要とあらば何時でも取り出して使用できるのである。
【００４７】
図７に示すように、本発明に係わる歯ブラシの第２実施形態は第１実施形態の変形であって、この歯ブラシには溶液の容器１０Dと、細長いブラシ・アーム２１Dとブラシ本体２２Dからなるブラシ・ヘッド２０Dを含んでいる。
【００４８】
容器１０Dは容器本体１３Dとノズル・ヘッド１２Dとを含み、容器本体１３Dはその中に溶液Wを充填した圧搾式容器室１１Dと開口部１２１Dを設けたノズル・ヘッド１２Dを含んでいる。開口部１２１Dは容器本体１３Dから延長し、圧搾式容器室１１Dと連通している。
【００４９】
ブラシ・ヘッド２０Dのブラシ・アーム２１Dはブラシ部２１１Dと保持部２１２Dとからなり、保持部２１２Dは容器１０Dの開口部１２１Dに挿しこまれてブラシ・アーム２１Dをその位置に保持する。ブラシ・アーム２１Dの保持部２１２Dとノズル・ヘッド１２Dの内壁の間には、分配路２００Dが設けられ、ノズル・ヘッド１２Dを経由して、溶液Wをブラシ・アーム２１Dのブラシ部２１１Dに流すのである。
【００５０】
ブラシ本体２２Dはブラシ・アーム２１Dのブラシ部２１１Dに設けられている。それで圧縮力を容器１０Dに施せば溶液Wは、ノズル・ヘッド１２Dの分配路２００を経由してブラシ・本体２２Dに放出される。
【００５１】
第２の実施形態によれば、容器本体１３Dはプラスチック製であることが望ましく、そうすれば使用者は容器本体１３Dを圧縮して、圧搾式溶液室１１Dの溶液Wをノズル・ヘッド１２Dの開口部１２１Dから分配できる。図７に示すように、ノズル・ヘッド１２Dは容器本体１３Dに取外し可能に取り付けているので交換が容易である。
【００５２】
ノズル・ヘッド１２Dには取外し可能に容器本体１３Dの開口部１３１Dに取り付けた管状のノズル・ベース（nozzle base）１２２Dと、ノズル・ベース１２２Dに同軸に取り付けた管状のブラシ・ホルダー１２３Dとを含み、ブラシ・アーム２１Dの保持部２１２Dはブラシ・ホルダー１２３Dに把持されて、ブラシ・ヘッド２０Dをその位置に保持するのである。
【００５３】
図７と図８に示すように、ブラシ・アーム２１Dは屈曲可能の材料、例えば金属線から製作される。ブラシ・アーム２１Dの保持部２１２D、即ち本発明の第１実施形態のブラシ・アーム２１の保持部２１２は、摺動可能にノズル・ヘッド１２Dのブラシ・ホルダー１２３Dに挿しこまれている。そしてブラシ・アーム２１Dの保持部２１２Dは少なくとも１つの分配路２００Dがブラシ・アーム２１Dの保持部２１２Dとノズル・ヘッド１２Dのブラシ・ホルダー１２３D内壁との間に形成されるよう、ブラシ・ホルダー１２３Dの開口部１２１Dに挿しこまれ、分配路２００Dを経由して、溶液Wがブラシ・アーム２１Dのブラシ部２１１Dに放出できるようにしている。
【００５４】
保持部２１２Dはブラシ・ホルダー１２３Dより長くしているので、ブラシ・アーム２１Dの保持部２１２Dがブラシ・ホルダー１２３Dを刺し通したとき、保持部２１２Dの外部に伸張した尾部２１２１Dの後端部を前方にあるブラシ・アーム２１Dに向かってU字に折り曲げ、しっかりとブラシ・ホルダー１２３Dにブラシ・アーム２１Dを把持させる。即ち、外に伸張した尾部２１２１Dを、ブラシ・ホルダー１２３Dの内壁からその外壁に向かってU字形に折り曲げるのである。
【００５５】
そして、ブラシ・ホルダー１２３Dにガイド・スロット１２４Dを形成する。このガイド・スロット１２４Dはブラシ・ホルダー１２３Dの後端部から延長して、ブラシ・アーム２１Dの保持部２１２Dの外に伸張した尾部２１２１Dをブラシ部２１１Dに向かって折り曲げたとき、保持部２１２Dの外に伸張した尾部２１２１Dはガイド・スロット１２４Dに収納されるのである
【００５６】
ブラシ本体２２Dは複数の刷毛２２１Dを含んでいて、間隔をおいて、ブラシ・アーム２１Dのブラシ部２１１Dに沿って伸張し、歯間と歯肉線周辺に接触してブラシングと/またはフロシングを行い、歯垢や歯の菌巣や歯の間に挟まれた食片を除去するのである。そして、容器本体１３Dが圧縮されたとき、ノズル・ヘッド２０Dの分配路２００Dを経由して、溶液Wをブラシ・本体２２Dの刷毛２２１Dに放出するのである。その代わり、ブラシ・本体２２Dの含むたわし片をブラシ・アーム２１Dのブラシ部２１１Dの周辺に、図４のように取り付けてもよい。
【００５７】
容器１０Dはさらに、容器本体１３Dと同軸に取り付けたシーリング・ロッカー（sealing locker）１４Dを含み、容器本体１３Dの開口部１３１Dでノズル・ベース１２２Dを密閉する。シーリング・ロッカー１４Dにはロッカー・リング１４１Dとシーリング・リム（sealing rim）１４２Dとが含まれ、ローカー・リング１４１Dは容器本体１３Dの開口部１３１Dの周辺に取り付けられて、ノズル・ベース１２２Dをその位置にしっかりと保持する。シーリング・リム１４２Dはロッカー・リング１４１Dの周辺から同軸、かつ内側に向かって突出し、容器本体１３Dの開口部１３１Dを傾斜方向から緊密に密閉し、容器１０が圧縮されてノズル・ヘッド１２Dからブラシ本体２２Dに溶液Wが放出される際、開口部１３１Dから溶液Wが漏れるのを防ぐのである。
【００５８】
図９は本発明に係わる歯ブラシの第３実施形態の説明図であり、これは上述の第２実施形態を変形したものである。この実施例の歯ブラシには溶液の容器１０Eと、細長いブラシ・アーム２１Eと、ブラシ本体２２Eとからなるブラシ・ヘッド２０Eが含まれている。
【００５９】
容器１０Eは容器本体１３Eと、ノズル・ベース１２Eとを含み、容器本体１３Eには溶液Wを含んだ圧搾式溶液室１１Eがあり、ノズル・ヘッド１２Eには圧搾式溶液室１１Eと連通した開口部１２１Eがあり、ノズル・ヘッド１２Eは容器本体１３Eから伸張している。
【００６０】
ブラシ・ヘッド２０Eのブラシ・アーム２１Eにはブラシ部２１１Eと保持部２１２Eとがあり、保持部２１２Eは、容器１０Eの開口部１２１Eに挿しこまれてブラシ・アーム２１Eをその位置に保持している。ブラシ・アーム２１Eの保持部２１２Eとノズル・ヘッド１２Eの内壁との間には分配路２００Eが形成されていて、ノズル・ヘッド１２Eから溶液Wをブラシ・アーム２１Eのブラシ部２１１Eに放出するのである。
【００６１】
ブラシ本体２２Eはブラシ・アーム２１Eのブラシ部２１１Eに設けられて、容器本体１３Eが圧縮された場合、ノズル・ヘッド１２Eの分配路２００Eを経て溶液Wがブラシ本体２２Eに放出される。ブラシ本体２２Eには複数の線状の刷毛２２１Eがあって、ブラシ・アーム２１Eのブラシ部２１１Eに沿って径方向に間隔をおいて伸張し、歯間と歯肉線の周辺に接触してブラシングと/またはフロシングの動作で歯垢や歯の菌巣や歯間に挟まれた食片を除去する。そして、容器本体１３Eに挿しこまれたピストン１３２Eを押して容器本体１３Eを圧縮することにより、ノズル・ヘッド１２Eの分配路２００を経て、溶液Wをブラシ本体２２Eの線状刷毛２２１Eに放出する。代わりにブラシ本体２２Eの含むたわし片をブラシ・アーム２１Eのブラシ部２１１Eの周辺に、図４のように取り付けてもよい。
【００６２】
第３の実施形態によれば、容器本体１３Eはシリンチ（syringe）形態に構成され、さらに１つの開口部１３１Eが前端にあり、ノズル・ヘッド１２Eを経て細かい蒸気状の溶液Wを圧搾式溶液室１１Eから押し出すのである。ノズル・ヘッド１２Eは取外し可能に容器本体１３Eの開口部１３１Eに取り付けてある。
【００６３】
ノズル・ヘッド１２Eには管状のノズル・ベース１２２Eと、管状のブラシ・ホルダー１２３Eとが含まれていて、ノズル・ベース１２２Eは取外し可能に容器本体１３Eの開口部１３１Eに取りつけられ、ブラシ・ホルダー１２３Eはノズル・ベース１２２Eから同軸に伸張して、ブラシ・アーム２１Eの保持部２１２Eを把持し、ブラシ・ヘッド２０Eをその位置に保持している。
【００６４】
図９と図１０に示すように、ブラシ・アーム２１Eは剛性の材料、例えば金属線で製作されている。ブラシ・アーム２１Eの保持部２１２Eは摺動可能にノズル・ヘッド１２Eのブラシ・ホルダー１２３Eに挿し込まれている。第３の実施形態によれば、少なくともブラシ・ホルダー１２３Eの１箇所は扁平になってブラシ・アーム２１Eの保持部２１２Eを挟み、しっかりとブラシ・アーム２１Eをその位置に保持している。分配路２００Eは、ブラシ・アーム２１Eの保持部２１２Eと、ノズル・ヘッド１２Eのブラシ・ホルダー１２３Eの扁平箇所の内壁との間に残された空隙である。
【００６５】
また、ブラシ・ホルダー１２３Eの前部はブラシ・アーム２１Eの保持部２１２Eをその位置に把持するものであって、ブラシ・ホルダー１２３Eの後部はノズル・ベース１２２Eから延長している。ブラシ・ホルダー１２３Eの前部はその後部から傾斜した状態で延長しているので、ブラシ・ヘッド２０Eは容器１０に対し傾斜して延長しているのである。容器１０Eに対するブラシ・ヘッド２０Eの傾斜は本発明に係わる歯みがきの実用性を高めるものである。
【００６６】
以上の詳細な説明は、本発明の実行可能な実施例についての具体的説明である。但し、これらの実施例は本発明の特許請求範囲を制限するものではなく、凡そ本発明の技術精神を逸脱せずなされた同等効果の実施または変更は、全て本発明の特許請求範囲内に含まれるものとする。
【図面の簡単な説明】
【００６７】
【図１】本発明に係る歯ブラシの第１実施形態の概観図である。
【図２】本発明に係る歯ブラシの第１実施形態の側面断面図である。
【図３】本発明に係る歯ブラシの第１実施形態の正面断面図である。
【図４】第１実施形態のブラシ・ヘッドの第１変形を示す説明図である。
【図５】第１実施形態のブラシ・ヘッドの第2変形を示す説明図である。
【図６】第１実施形態のブラシ・ヘッドの第3変形を示す説明図である。
【図７】本発明に係る歯ブラシの第2実施形態の分解概観図である。
【図８】本発明に係る歯ブラシの第2実施形態の局部断面図である。
【図９】は本発明に係る歯ブラシの第3実施形態の分解概観図である。
【図１０】本発明に係る歯ブラシの第3実施形態の局部断面図である。
【符号の説明】
【００６８】
10：溶液の容器    12：ノズル・ヘッド
13：圧搾式容器本体    11：圧搾式容器室
20：ブラシ・ヘッド    21：ブラシ・アーム
22：ブラシ本体    121：開口部
212：保持部          221：刷毛
50：保護キャップ    211：ブラシ部
101A:把手部        101B: 把手部
102A:押付部        13A:密閉キャップ
221A:たわし片    23B:液体ガイダー
200：分配路          231B:分配孔
14C:ロッキング・ラッチ              13C:カバー・キャップ
122D: ノズル・ベース              123D:ブラシ・ホルダー
2121D:保持部の尾部124D:ガイド・スロット
14D:シーリング・ロッカー            141D:ロッカー・リング
142D:シーリング・リム              132E:ピストン
【図１】
2007501651.tif 000003
【図２】
2007501651.tif 000004
【図３】
2007501651.tif 000005
【図４】
2007501651.tif 000006
【図５】
2007501651.tif 000007
【図６】
2007501651.tif 000008
【図７】
2007501651.tif 000009
【図８】
2007501651.tif 000010
【図９】
2007501651.tif 000011
【図１０】
2007501651.tif 000012
【手続補正書】
【提出日】平成18年8月4日(2006.8.4)
【手続補正１】
【補正対象書類名】特許請求の範囲
【補正対象項目名】全文
【補正方法】変更
【補正の内容】
【特許請求の範囲】
【請求項１】
溶液を噴出する歯ブラシであって、
溶液を含んだ圧縮式溶液室と、前記圧縮式溶液室と連通した開口部のあるノズル・ヘッドとを備えた溶液の容器と、
ブラシ部の付いた細長いブラシ・アームと、前記ノズル・ヘッドに接続され、前記ブラシ・アームをその位置に保持する保持部とを含むブラシ・ヘッドと、
前記ブラシ・アームのブラシ部に設けられたブラシ本体とを含み、前記容器を圧縮して、前記ブラシ・アームの保持部に隣接した前記ノズル・ヘッドに設けられた分配路から、前記ノズル・ヘッドを経由して、前記溶液室の溶液を前記ブラシ・アームのブラシ部に放出することを特徴とする、
端部に隣接した位置に噴液部を備えた歯ブラシ。
【請求項２】
前記溶液の容器には圧縮式溶液室を含んだ容器本体を取り付けてあり、その開口部は前記圧縮式溶液室と連通し、また、前記ノズル・ヘッドには前記容器本体の開口部に取外し可能に取付けた管状のノズル・ベースと、前記のずる・ベースから同軸に伸張した管状のブラシ・ホルダーとが含まれていて、前記ブラシ・アームの保持部は前記ブラシ・ホルダーに挿しこまれ、前記ブラシ・ヘッドを保持することを特徴とする、請求項１に記載の歯ブラシ。
【請求項３】
前記ブラシ・アームの保持部は、前記ブラシ・ホルダーの開口部に挿しこまれ、前記分配路は前記ブラシ・アームの保持部と前記ノズル・ヘッドのブラシ・ホルダーの内壁との間に形成された空隙にして、前記分配路を経由して、前記溶液を前記ブラシ・アームのブラシ部に流すことを特徴とする、請求項２に記載の歯ブラシ。
【請求項４】
前記保持部は前記ブラシ・ホルダーより長く、前記ブラシ・アームの保持部は前記ブラシ・ホルダーを刺し通し、前記保持部の外部に向かって延長した尾部は、前記ブラシ部に向かって折り曲げられ、前記ブラシ・アームの後端部をU字形に構成して、しっかりと前記ブラシ・アームをブラシ・ホルダーに把持することを特徴とする、請求項2に記載の歯ブラシ。
【請求項５】
前記ブラシ・ホルダーには、その後端部から伸張したガイド・スロットがあり、前記ブラシ・アームの保持部の外部に向かって延長した尾部は前記ブラシ部に向かって折り曲げられ、前記保持部の外部に向かって延長した尾部は前記ガイド・スロッドに収納されていることを特徴とする、請求項４に記載の歯ブラシ。
【請求項６】
前記溶液の容器は更に、前記容器本体に同軸に取り付けられたシーリング・ロッカーを含み、前記容器本体の開口部に前記ノズル・ベースを密閉していることを特徴とする、請求項２に記載の歯ブラシ。
【請求項７】
前記シーリング・ロッカーは、前記容器本体の開口部の周辺に密着したロッカー・リングと、前記ロッカー・リングの縁辺から同軸かつ内側に向かって突起したシーリング・リングとを含み、前記容器本体の開口部に対し、固く傾斜状に密着して、前記ノズル・ベースをその位置に保持し、前記溶液が、前記開口部から漏れるのを防ぐことを特徴とする、請求項６に記載の歯ブラシ。
【請求項８】
前記ブラシ本体は、前記ブラシ・アームのブラシ部に沿って、径方向に間隔を置いて伸張した複数の線状刷毛を含み、使用者の歯間と歯肉線の周辺に接触して、ブラシングとフロシングの動作を行うことを特徴とする、請求項２に記載の歯ブラシ。
【請求項９】
前記ブラシ・ホルダーの部は、前記ブラシ・アームの保持部に扁平に押圧されて、前記ブラシ・アームをその位置に保持し、前記ブラシ・アームの保持部と前記ノズル・ヘッドのブラシ・ホルダーの内壁との間に残された空隙は、前記ブラシ・ホルダーに沿って前記分配路として作用することを特徴とする、請求項２に記載の歯ブラシ。
【請求項１０】
前記容器本体はさらに、前記容器本体に挿しこまれたピストンを含み、前記ピストンを押すことにより、前記容器本体に圧縮力を加えて、前記溶液室の溶液を押し出し、前記ノズル・ヘッドの前記分配路を経由して、前記ブラシ本体に放出することを特徴とする、請求項９に記載の歯ブラシ。
【請求項１１】
前記ブラシ本体は、前記ブラシ・アームのブラシ部に沿って、径方向に間隔を置いて伸張した複数の線状刷毛を含み、使用者の歯間と歯肉線の周辺に接触して、ブラシングとフロシングの動作を行うことを特徴とする、請求項９に記載の歯ブラシ。
【国際調査報告】
2007501651.tif 000013